(57)【要約】      （修正有）【課題】積み木とジグソーパズルとを一つにする立体(３次元)ジグソーパズルブロックを提供する。【解決手段】立体(３次元)ジグソーパズルブロックは、玩具又は景品の分野に属し、一緒に重ねる複数のブロック１を含み、上記の複数ブロックは全て透明状態であり、各透明ブロックには、一つ或いは幾つかの空所が設けられている。これらのブロックは、一定の順序で一緒に重ね合わされ、その空所は一つ、或いは幾つかの内部の凹みの立体画像２となる。当該構造は、積み木及びジグソーパズルを一つにさせたものであるので、子供が非常に喜んで楽しめる。【選択図】図１
0003151229.tif 000002
【実用新案登録請求の範囲】
【請求項１】
一緒に重ね合わされる複数ブロック（1）を含み、上記の複数ブロックが全て透明状態であり、透明のブロック毎に一つ或いは幾つかの空所（10）が設けられ、複数のブロックは一定の順序で一緒に重ね合わされ、その空所は一つ、或いは幾つかの内部の凹みの立体画像（2） となることを特徴とする、立体ジグソーパズルブロック。
【請求項２】
隣接する二つの透明ブロック（1）中のいずれかの一つの透明ブロックについて、その四つの角ごとに一つの嵌合凸部（11）を設け、また、もう一つの透明ブロックはその凸部の位置に対応して、該凸部と嵌合する凹部（12）を設けることを特徴とする、請求項１に記載の立体ジグソーパズルブロック。
【請求項３】
最初と最後のブロック（1）の間の各透明ブロックは、全て複数の小ブロックに分けられていることを特徴とする、請求項２に記載の立体ジグソーパズルブロック。
【請求項４】
上記の透明ブロック（1）は、二つであることを特徴とする、請求項２に記載の立体ジグソーパズルブロック。
【請求項５】
上記の空所（10）の内壁に該当するカラーを塗ることを特徴とする、請求項３又は4に記載の立体パズルブロック。
【請求項６】
上記の嵌合凸部（11）と嵌合凹部（12）は、大変協力的であることを特徴とする、請求項２に記載の立体ジグソーパズルブロック。
【考案の詳細な説明】
【技術分野】
【０００１】
本考案は、玩具又は景品、特に立体ジグソーパズルブロックに関する。
【背景技術】
【０００２】
ジグソーパズルは児童向けの知育玩具であり、プレーヤーにとって、手を駆使する能力を働かせるだけでなく、大脳の考える能力の強化を促すことができることから、多くの親及び児童から広く好評を受けている。しかし、現在の市場では、ジグソーパズルは、平面ジグソーパズルに限られていた。積み木は立体(３次元)構造を組み立てることができるが、同時に立体(３次元) ジグソーパズルを組み立てることはできない。
【考案の開示】
【考案が解決しようとする課題】
【０００３】
上記の従来技術の欠点を克服するため、本考案は積み木とジグソーパズルとを一つにする立体(３次元)ジグソーパズルブロックを提供することを目的とする。
【課題を解決するための手段】
【０００４】
上記の目的を実現するため、本考案が採用した技術的解決手段は下記の通り：複数ブロックの積み立を含み、一緒に重ねる複数のブロックを含み、該複数のブロックは全て透明状態であり、透明の各ブロック毎に一つ或いは幾つかの空所(１０)が設けられ、これらブロックは一定の順に重ねられてから、一つ、或いは幾つかの内部の凹みの立体(３次元)画像となる、立体ジグソーパズルブロック。
本考案は、更に次のように付属の技術的特徴を有する：
隣接する二つの透明ブロックごとに、いずれかの一つの透明ブロックについて、その四つの角ごとに一つの嵌合凸部(１１)が堅固に形成され、また、もう一つの透明ブロックには、その位置の嵌合凸部に対応して、該凸部を合わせる嵌合凹部（１２）が形成されている。
最初と最後のブロックの間の各透明ブロックは、全て複数の小ブロックに分割されている。
透明ブロックは、二つである。
上記の空所(１０)の内壁に該当するカラーを塗る。
上記の嵌合凸部（１１）と嵌合凹部（１２）は、大変協力的である。
【考案の効果】
【０００５】
従来の技術に対し、本考案は、次の優れた効果を有する：複数ブロックは全て透明状態であり、各透明ブロックには、一つ或いはいくつかの空所が設けられ、複数のブロックは一定の順に一緒に重ねられて、前記空所は一つ或いはいくつかの内部の凹みの立体（３次元）画像となる。それ故、当該構造は積み木及びジグソーパズルを一つの玩具に統合したものであるので、子供が非常に喜んで楽しめる。
【考案を実施するための最良の形態】
【０００６】
以下、添付図面に従って、本考案の具体例を更に詳細に説明する：
図１から図３は、本考案の好ましい実施例を示す。多くの透明ブロック１を含む立体(３次元)ジグソーパズルブロックの各透明ブロックには、一つ或いは幾つかの空所（10）が設けられ、一緒に重ね合わされている。これら透明ブロック１は、一定の順に一緒に重ねられると、その内部では空所が一つ、或いは幾つかの内部の凹みの立体(３次元)画像２、例えば、児童に好評の人形のような玩具画像を形成する。児童が絶え間なく多くの透明ブロック１を正しい画像を形成するまで、嵌め込んだり、外したりする必要があるので、隣接する二つの透明ブロック１ごとに、いずれかの一つの透明ブロックについて、その四つの角ごとに一つの嵌合凸部１１が堅固に形成され、また、もう一つの透明ブロックは、その位置の嵌合凸部に対応して、該凸部を合わせる嵌合凹部12が設けられ、嵌合凸部１１と嵌合凹部１２は、大変協力的である。このようにすることによって、二つの隣接する透明ブロックを外したり、嵌め込んだりが好都合にできるようになる。
【０００７】
本考案のもう一つの好ましい実施例を説明する。その他の構造は実施例１と同様である。最初と最後の透明ブロック１の間における全ての透明ブロックは、三つ、四つ、五つ又はそれ以上の小ブロックに分けられる（図は、最初と最後の透明ブロック１の間における全ての透明ブロックは四つの小ブロックに分けられる例のみを示している。その内、透明ブロック１のふちまで延ばす縦横の二つの点線は分割線である。）。このように、分けた小ブロック数が多ければ多いほど、組み立てるのが困難な具体例となる。
【０００８】
更に、立体(３次元)画像の全体を綺麗に見せて、児童の興味を引くため、各空所１０の内壁に該当するカラーを塗ることができる。
要約すると、二つの実施例はジグソーパズルと積み木を一つにし、手を駆使する能力を働かせ大脳の考える能力の強化を促すと同時に、これを使用することによりプレーヤーの興味を向上させることができる。
【０００９】
次に、立体(３次元)ジグソーパズルブロックについては、二つの透明ブロック1のみを重ね合わせて形成され、各透明ブロックには、一つ或いは幾つかの空所（10）が設けられている、二つの透明ブロックは一緒に重ねあわされ、空所は一つ、或いは幾つかの内部の凹みの立体画像２となり、その一方の透明ブロックは、四つの角に一つの嵌合凸部１１が堅固に形成され、また、もう一方の透明ブロックはその位置に対応して、該凸部と嵌合する嵌合凹部１２を設ける。
当該構造は景品としてもよい。
【図面の簡単な説明】
【００１０】
【図１】本考案の立体構造を示す概略図である。
【図２】図１の正面図である。
【図３】図2の左側面図である。
【図４】図１の分解図である。
【図１】
0003151229.tif 000003
【図２】
0003151229.tif 000004
【図３】
0003151229.tif 000005
【図４】
0003151229.tif 000006
【手続補正書】
【提出日】平成21年4月7日(2009.4.7)
【手続補正１】
【補正対象書類名】実用新案登録請求の範囲
【補正対象項目名】全文
【補正方法】変更
【補正の内容】
【実用新案登録請求の範囲】
【請求項１】
一緒に重ね合わされる複数ブロック（1）を含み、上記の複数ブロックが全て透明状態であり、透明のブロック毎に一つ或いは幾つかの空所（10）が設けられ、複数のブロックは一定の順序で一緒に重ね合わされ、その空所は一つ、或いは幾つかの内部の凹みの立体画像（2） となることを特徴とする、立体ジグソーパズルブロック。
【請求項２】
隣接する二つの透明ブロック（1）中のいずれかの一つの透明ブロックについて、該透明ブロックは四角形であり、その四つの角ごとに一つの嵌合凸部（11）を設け、また、もう一つの透明ブロックはその凸部の位置に対応して、該凸部と嵌合する凹部（12）を設けることを特徴とする、請求項１に記載の立体ジグソーパズルブロック。
【請求項３】
最初と最後のブロック（1）の間の各透明ブロックは、全て複数の小ブロックに分けられていることを特徴とする、請求項２に記載の立体ジグソーパズルブロック。
【請求項４】
上記の透明ブロック（1）は、その総数が二つであることを特徴とする、請求項２に記載の立体ジグソーパズルブロック。
【請求項５】
上記の空所（10）の内壁に該当するカラーを塗ることを特徴とする、請求項３又は4に記載の立体パズルブロック。
【請求項６】
上記の嵌合凸部（11）と嵌合凹部（12）は、嵌合することを特徴とする、請求項２に記載の立体ジグソーパズルブロック。
【手続補正２】
【補正対象書類名】明細書
【補正対象項目名】０００４
【補正方法】変更
【補正の内容】
【０００４】
上記の目的を実現するため、本考案が採用した技術的解決手段は下記の通り：一緒に重ねる複数のブロックを含み、該複数のブロックは全て透明状態であり、透明の各ブロック毎に一つ或いは幾つかの空所(１０)が設けられ、これらブロックは一定の順に重ねられてから、一つ、或いは幾つかの内部の凹みの立体(３次元)画像となる、立体ジグソーパズルブロック。
本考案は、更に次のように付属の技術的特徴を有する：
隣接する二つの透明ブロックごとに、いずれかの一つの透明ブロックについて、該透明ブロックは四角形であり、その四つの角ごとに一つの嵌合凸部(１１)が堅固に形成され、また、もう一つの透明ブロックには、その位置の嵌合凸部に対応して、該凸部を合わせる嵌合凹部（１２）が形成されている。
最初と最後のブロックの間の各透明ブロックは、全て複数の小ブロックに分割されている。
透明ブロックは、その総数が二つである。
上記の空所(１０)の内壁に該当するカラーを塗る。
上記の嵌合凸部（１１）と嵌合凹部（１２）は、嵌合する。